(57)【要約】      （修正有）【課題】シート状のスクリーンがガイド枠から抜けることを防止する抜止部を設けても、スクリーンの幅方向端部側の巻き径が大きくなることを抑制することで、収容ボックスの大型化、設置可能な場所の制限、及び、建物の開口部の美観の低下を抑制しつつ、防火用開閉装置の操作性の低下を抑制可能な防火用開閉装置を提供する。【解決手段】幅方向の端部が前記左右ガイド枠に囲まれ、且つ、前記左右ガイド枠に沿って巻取り及び巻戻しされるスクリーン５の、左右ガイド枠に囲まれる幅方向端部に形成される抜止部５１を、不燃材料からなる糸により構成する。【選択図】図３
2020204252.tif 000002
【特許請求の範囲】
【請求項１】
左ガイド枠、右ガイド枠及び下枠と、
幅方向端部が前記左ガイド枠及び前記右ガイド枠に囲まれ、且つ、前記左ガイド枠及び前記右ガイド枠に沿って巻取り及び巻戻しされるスクリーンと、
前記スクリーンを収容する収容ボックスと、を備え、
前記スクリーンの前記幅方向端部には、不燃材料からなる糸により構成された抜止部が形成されていることを特徴とする防火用開閉装置。
【請求項２】
前記スクリーンの下端部には、不燃材料からなる金属製の板が設けられていることを特徴とする請求項１に記載の防火用開閉装置。
【請求項３】
前記スクリーンの下端部には、不燃材料からなる糸により構成された抜止部が形成されていることを特徴とする請求項１または２に記載の防火用開閉装置。
【発明の詳細な説明】
【技術分野】
【０００１】
本発明は、開閉装置に関し、特に防火設備として使用できる防火用開閉装置に関する。
【背景技術】
【０００２】
万が一の火災の際に、発生する恐れがある人的被害や延焼等を防ぐため、建物の開口部に防火設備を設置することが、要請されている。近年、このような防火設備として、建物の開口部の内周面に設けた枠体に沿って巻き取り及び巻戻し可能な可撓性シート状のスクリーンを備えた防火用開閉装置が利用されている。
【０００３】
例えば特開２０１７−２１８８１３号公報には、シート状の開閉体（スクリーン）と、開閉体を案内するガイドレール（ガイド枠）と、開閉体を巻き取る巻取装置とを備える防火用開閉装置が開示されている。
【０００４】
特許文献１に記載されているようなシート状のスクリーンにより建物の開口部を開閉する防火用開閉装置では、シート状のスクリーンが撓んでスクリーンがガイドレールから抜けてしまうと、火災時に、火炎が屋内外に貫通してしまい、防火性能を発揮することができなくなる。特許文献１の防火用開閉装置では、
スクリーンの幅方向端部側に、スクリーンの厚み方向へ突出する務歯列状の係合子を設け、この係合子を、ガイドレールから抜けを防止する抜止部として機能させることで、防火性能が発揮できないことを防止している。また、特許文献１の防火用開閉装置では、係合子を構成する耐火性材料として金属材料を使用することで、火災により係合子が消失して抜止機能が失われることを抑制している。
【先行技術文献】
【特許文献】
【０００５】
【特許文献１】特開２０１７−２１８８１３号公報
【発明の概要】
【発明が解決しようとする課題】
【０００６】
特許文献１の務歯列状の係合子は、抜止部として十分に機能するものの、シート状のスクリーンと比較して、スクリーンの厚み方向の寸法が大きい。そのためスクリーンの巻取り状態では、スクリーンの幅方向端部側で係合子同士が径方向に重なり合うため、幅方向端部側の巻き径が、他の部分の巻き径よりも大きくなる。
【０００７】
そのため特許文献１の防火用開閉装置では、スクリーンを収容する収容ボックスが、係合子が設けられた幅方向端部側の巻き径に合わせて、極めて大型化してしまう場合がある。
【０００８】
また、このように収容ボックスが大型化した防火用開閉装置では、設置のために多くの空間が必要であり、設置可能な場所が制限されるという問題が生じる。
【０００９】
さらに、幅方向端部側の巻き径が大きくなることにより、収容ボックスがスクリーンを巻取り及び巻戻す位置と、建物の開口部または開口部の近傍に設けられるカーテン等の位置との間隔が大きくなるため、カーテン等の開口部に設けられる他のシート状部材との一体感が損なわれて、建物の開口部の美観が損なわれる場合がある。
【００１０】
その上、特許文献１の防火用開閉装置では、金属により構成された複数の務歯列状の係合子の荷重のために、スクリーンの巻取り及び巻戻しに大きな力が必要となって、防火用開閉装置の操作性が低下するという問題も生じている。
【００１１】
本発明は、上記の課題を解決すべくなされたものであり、シート状のスクリーンがガイド枠から抜けることを防止する抜止部を設けても、スクリーンの幅方向端部側の巻き径が大きくなることを抑制することで、収容ボックスの大型化、設置可能な場所の制限、及び、建物の開口部の美観の低下を抑制しつつ、防火用開閉装置の操作性の低下を抑制可能な防火用開閉装置を提供することを目的とする。
【課題を解決するための手段】
【００１２】
上記課題を解決するための本発明の防火用開閉装置は、左ガイド枠、右ガイド枠及び下枠と、幅方向端部が前記左ガイド枠及び前記右ガイド枠に囲まれ、且つ、前記左ガイド枠及び前記右ガイド枠に沿って巻取り及び巻戻しされるスクリーンと、前記スクリーンを収容する収容ボックスと、を備え、前記スクリーンの前記幅方向端部には、不燃材料からなる糸により構成された抜止部が形成されていることを特徴とする。
【００１３】
本発明の防火用開閉装置においては、前記スクリーンの下端部には、不燃材料からなる金属製の板が設けられていることが好ましい。
【００１４】
本発明の防火用開閉装置においては、前記スクリーンの下端部には、不燃材料からなる糸により構成された抜止部が形成されていることが好ましい。
【００１５】
本発明の防火用開閉装置においては、前記スクリーンの幅方向端部には、不燃材料により構成された抜止補助部が形成されていることが好ましい。
【発明の効果】
【００１６】
本発明によれば、シート状のスクリーンがガイド枠から抜けることを防止する抜止部を設けても、スクリーンの幅方向端部側の巻き径が大きくなることを抑制することで、収容ボックスの大型化、設置可能な場所の制限、及び、建物の開口部の美観の低下を抑制しつつ、防火用開閉装置の操作性の低下を抑制可能な防火用開閉装置を提供することができる。
【図面の簡単な説明】
【００１７】
【図１】一実施形態に係る防火用開閉装置の中央縦断面図
【図２】同横断面図
【図３】スクリーンの要部拡大図
【図４】ボトム枠の拡大図
【発明を実施するための形態】
【００１８】
以下、本発明の実施形態について、図面を参照して詳細に例示説明する。なお、本明細書においては、共通する構成には、共通する用語を用いると共に、各図において略同一に図示して詳細な説明は省略し、必要に応じて同一の符号で示すこととする。
【００１９】
本実施形態の防火用開閉装置１は、住宅やビル、倉庫、工場、地下街、トンネル、車両の荷台等の構築・構造物における開口部分や内部に配設され、開口部分を開閉したり、躯体内部の空間を仕切ったり開放したりするシャッター装置として適用可能であるが、特に好ましい態様として、建築物開口部におけるサッシ窓の屋内側に装着される窓用シャッター装置の一例について説明する。
【００２０】
本実施形態の防火用開閉装置１は、図１及び図２に示すように、右ガイド枠２、左ガイド枠３及び下枠４と、スクリーン５と、収容ボックス６とを備えている。
【００２１】
防火用開閉装置１は、建物の外壁に設けられた窓、出入口等の開口部７の内周面７ａに取付けられものである。本実施形態では、木造納まり又はＲＣ造納まりのように、開口部７に取り付けられた額縁８により内周面７ａが構成されている。なお、額縁８を取り付けずに、開口部７に直接防火用開閉装置１を取付けてもよい。
【００２２】
右ガイド枠２及び左ガイド枠３は、略同一に構成されているので、右ガイド枠２の構成例について説明し、左ガイド枠３の構成例の説明を省略する。本実施形態では、右ガイド枠２は、図２に示すように、外側ガイド部２１と、内側ガイド部２２とを備えている。外側ガイド部２１は、長尺状のもので、その断面形状が略コ字状に形成されている。具体的には、外側ガイド部２１は、図２のように内周面７ａに当接する第１の壁部２１ａと、開口部７の屋外側に位置する第２の壁部２１ｂと、開口部７の屋内側に位置する第３の壁部２１ｃと、左ガイド枠３と対向する第４の壁部２１ｄとを備えている。
【００２３】
第１の壁部２１ａの屋外側の端部には、一対の屋外側突出壁部２１ｅが形成されている。一対の屋外側突出壁部２１ｅは、互いに近づくように折れ曲がる折れ曲がり部２１ｆを先端に有している。外側ガイド部２１には、第１の壁部２１ａと、一対の屋外側突出壁部２１ｅと、折れ曲がり部２１ｆとにより、屋外側収容部２１ｇが形成されている。
【００２４】
第１の壁部２１ａの屋内側の端部には、一対の屋内側突出壁部２１ｈが形成されている。一対の屋内側突出壁部２１ｈは、互いに近づくように折れ曲がる折れ曲がり部２１ｉを先端に有している。外側ガイド部２１には、第１の壁部２１ａと、一対の屋内側突出壁部２１ｈと、折れ曲がり部２１ｉとにより、屋内側収容部２１ｊが形成されている。
【００２５】
第１の壁部２１ａには、一対の屋外側突出壁部２１ｅと一対の屋内側突出壁部２１ｈとの間に、一対の突出壁部２１ｋが形成されている。
【００２６】
第４の壁部２１ｄには、開口部２１ｌが形成されている。第４の壁部２１ｄの開口部２１ｌ側の端には、第１の壁部２１ａ側に向かって突出する一対の突出部２１ｍが形成されている。開口部２１ｌには、スクリーン５の先端辺を取付けるボトム枠１１の端部１１ａが入込み、スクリーン５の巻取り及び巻戻しの際には、ボトム枠１１は、一対の突出部２１ｍにガイドされながら上下にスライドする。
【００２７】
本実施形態では、外側ガイド部２１の内周に、ガイド枠補強材２３が設けられている。ガイド枠補強材２３は、右ガイド枠２の長手方向の全長に亘って設けられている。本実施形態のガイド枠補強材２３は、図３に図示されているように、長手方向に垂直な断面において、外側ガイド部２１の内周の全体に沿って形成されている。
【００２８】
ガイド枠補強材２３が外側ガイド部２１をその内部から支えることにより、火災を原因とする外力による変形に耐える剛性を外側ガイド部２１に付与することができ、外側ガイド部２１の屋内外からの火炎の貫通を防ぐことができる。
【００２９】
外側ガイド部２１は、例えばアルミニウムの成形品とすることができ、ガイド枠補強材２３は、例えばスチールの成形品とすることができる。本実施形態では、外側ガイド部２１及びガイド枠補強材２３は、図２に図示しているように、ネジにより額縁８に共締めされている。
【００３０】
屋外側収容部２１ｇには、その両端に亘って加熱発泡材９が収容される。加熱発泡材９は、接着剤、両面テープ等を介して屋外側収容部２１ｇに固定されている。加熱発泡材９は、加熱されることにより膨張して、耐火・防火性能を発揮するものである。よって、火災時に右ガイド枠２と内周面７ａとの間に、隙間が発生した場合であっても、隙間を加熱発泡材９が閉塞することで、火炎が屋内外に貫通することを防ぐことができる。加熱発泡材９としては、例えば積水化学工業株式会社のフィブロック（登録商標）を使用することができる。
【００３１】
外側ガイド部２１の第１の壁部２１ａが内周面７ａに固定され、屋外側収容部２１ｇが内周面７ａにより塞がれることにより、加熱発泡材９は、内周面７ａと外側ガイド部２１との間に納められている。そのため、接着剤等の経年劣化や、加熱発泡材９の膨張開始（約２００℃）前に接着剤等の溶融（約１２０℃）により、加熱発泡材９が屋外側収容部２１ｇから剥離しても、その取付位置が保持されるようになっていて、加熱発泡材９の機能の発揮が損なわれることが抑制されている。
【００３２】
本実施形態では、加熱発泡材９が配置されていない屋内側収容部２１ｊには、弾性材等の隙間隠材１０が配置され、内周面７ａと第１の壁部２１ａとの間に発生した隙間による、屋外側からの光漏れが抑制されている。
【００３３】
内側ガイド部２２は、例えばアルミニウムの成形品とすることができ、図２及び図３に示すように、スクリーン５の両縁のたて辺５ａをスライドさせる案内溝としてのスリット２２ａを備える筒状の形材により形成されている。なお、本実施形態の内側ガイド部２２は、屋内側部材に屋外側部材を嵌合することで形成された間隙をスリット２２ａとしている。この内側ガイド部２２は、外側ガイド部２１に沿うように長尺状に形成されており、外側ガイド部２１に固定されることなく独立した状態で、外側ガイド部２１の下端に配置された（呑み込まれた）下枠４上に載置されている。即ち、内側ガイド部２２は、外側ガイド部２１の内部において、その全側面の周囲にクリアランスが形成されるように収容されている。
【００３４】
下枠４は、例えばアルミニウムの成形品とすることができ、図１のように右ガイド枠２及び左ガイド枠３の各下端間で固定される長尺状のもので、その断面形状が略Ｃ字状に形成されている。下枠４の底部４１の背面４１ａが内周面７ａとの取付面になっており、その底部４１に対向する側には、後述するスクリーン５の下端に設けられるボトム枠１１の下端が入り込む凹部４２が設けられている。
【００３５】
本実施形態の下枠４には、下枠補強材４３が設けられている。下枠補強材４３は、ステンレスやスチールの成形品とすることができるものであり、下枠４の全長に亘って、下枠４の底部４１に当接し、かつ、凹部４２に沿うように形成されており、下枠４の内部から下枠４を支持している。この下枠補強材４３を設けることにより、下枠４の剛性を高め、かつ、火災の際の火炎が下枠４に回ってきた場合にも、火炎の屋内外の貫通を防ぐことができるようになっている。
【００３６】
背面４１ａには、右ガイド枠２の第１の壁部２１ａと同様に、折れ曲がり部４１ｆを先端に有する一対の屋外側突出壁部４１ｅが形成されて、屋外側収容部４１ｇが形成されている。また、背面４１ａには、折れ曲がり部４１ｉを先端に有する一対の屋内側突出壁部４１ｈが形成されて、屋内側収容部４１ｊが形成されている。
【００３７】
屋外側収容部４１ｇには、屋外側収容部２１ｇと同様に、その両端に亘って加熱発泡材９が収容される。下枠４の背面４１ａが内周面７ａに固定され、屋外側収容部４１ｇが内周面７ａにより塞がれることにより、加熱発泡材９は、内周面７ａと屋外側収容部４１ｇの間に納められている。そのため、接着剤等の経年劣化や、加熱発泡材９の膨張開始（約２００℃）前に接着剤等の溶融（約１２０℃）により、加熱発泡材９が屋外側収容部４１ｇから剥離しても、その取付位置が保持されるようになっていて、加熱発泡材９の機能の発揮が損なわれることが抑制されている。
【００３８】
屋内側収容部４１ｊには、屋内側収容部２１ｊと同様に、隙間隠材１０が収容される。この、隙間隠材１０により、内周面７ａと背面４１ａとの間に発生した隙間による、屋外側からの光漏れが抑制されている。
【００３９】
本実施形態においては、加熱発泡材９は、屋外側収容部２１ｇ及び屋外側収容部４１ｇに配置されているが、加熱発泡材９の配置の位置、範囲及び数は限定されず、例えば、屋内側収容部２１ｊ及び屋内側収容部４１ｊに配置してもよく、あるいは屋外側収容部２１ｇ及び屋外側収容部４１ｇ並びに屋内側収容部２１ｊ及び屋内側収容部４１ｊの両方に配置してもよい。また、加熱発泡材９は、第１の壁部２１ａ及び背面４１ａの中央に配置してもよい。
【００４０】
さらに、加熱発泡材９は、ガイド枠補強材２３及び下枠補強材４３の内側に取付けてもよい。この加熱発泡材９は、火災の際に右ガイド枠２の下端からの火炎の屋内外の貫通を抑えるもので、右ガイド枠２の長手方向全長に設けられているものではなく、その下端から上方まで（例えば、約１．５センチメートル）設けられている。
【００４１】
スクリーン５は、防火性のもので、ガラスクロス若しくはシリカクロス、又はこれらのクロスに耐火塗料を塗布したもの、含浸させたものにより形成されている。図３のように、このスクリーン５の一対のたて辺５ａには、不燃材料からなる糸により構成された抜止部５１が形成されている。抜止部５１は、内側ガイド部２２の内部に位置している。この抜止部５１は、スクリーン５が撓む力を受けた場合に、たて辺５ａが、内側ガイド部２２のスリット２２ａから抜け出ることを防ぐものである。
【００４２】
抜止部５１を構成する不燃材料からなる糸としては、例えば、ステンレスからなる糸を使用することができ、本実施形態では、ステンレス製の糸により抜止部５１を構成している。糸の直径としては、例えば０．３５ｍｍ〜１．０６ｍｍのものを使用することができ、本実施形態の抜止部５１は、太さ０．３５ｍｍのステンレス製の糸により構成されている。特に本実施形態では、たて辺５ａに沿って、ステンレス製の糸のミシン縫いを複数回重ねることで、抜止部５１を略球状に構成し、スリット２２ａを通過しない厚みに形成している。
【００４３】
本実施形態では、不燃材料により構成された抜止補助部５２が、スクリーン５の幅方向端部に形成されている。特に本実施形態では、抜止部５１に重なるようにスクリーンの高さ方向（右ガイド枠２及び左ガイド枠３の長手方向）に一定間隔で、抜止補助部５２が形成されている。このような抜止補助部５２は、例えばステープラ用の針を使用することができる。本実施形態では、針の太さが０．５ｍｍ、針足長さ６．０ｍｍ、幅１１．６ｍｍのステンレス製のステープラ用の針を使用している。なお、ステープラ用の針の材質としては、ステンレスの他に、スチール、アルミ、銅等を使用することができる。また、ステープラの針の材質は、抜止部５１を構成する不燃材料からなる糸の材質と同じでもよく、異なっていてもよい。
【００４４】
本実施形態のスクリーン５は、不燃材料からなる金属製の板５３が下端部に設けられている。具体的には、本実施形態のスクリーン５は、アルミ製の板５３が、スクリーン５の下端５ｂに沿って、スクリーン５の幅方向の全体に亘って形成されている。このアルミ製の板５３は、両面テープにより、スクリーン５に貼り付けられている。
【００４５】
本実施形態のスクリーン５は、不燃材料からなる糸により構成された抜止部５１が下端部にも設けられている。具体的には、不燃材料からなる板５３の下端に沿って、不燃材料からなる糸により構成された抜止部５１が設けられている。
【００４６】
本実施形態のスクリーン５には、下端部を覆うように、ボトム枠１１が取り付けられている。本実施形態では、アルミ製の板５３を座として、ボトム枠１１がスクリーン５にネジ止めされている。特に本実施形態では、ボトム枠１１が屋内側部材と屋外側部材から構成されており、アルミ製の板５３を座として、スクリーン５の下端部を挟んだ状態で屋外側部材にネジ止めした後、屋内側部材を嵌合及びネジ止めしている。よって、アルミ製の板５３及び下端部に設けられた抜止部５１の全体がボトム枠１１により覆われるように、ボトム枠１１が取り付けられている。
【００４７】
スクリーン５のボトム枠１１には、ラッチ１２が取付けられ、このラッチ１２を下枠４に係止することにより、スクリーン５による閉鎖状態を維持できるようになっている。
【００４８】
収容ボックス６は、図１のように本体６０と、これを取付ける収容ボックス補強材としてのベース材６１からなり、本体６０には、スクリーン５の基端辺を取付けたドラム６２が収容され、そのドラム６２はスクリーン５を巻取り、巻戻すと共に、その途中において、一時的に、任意の位置で停止できる機構を備えている。
【００４９】
ベース材６１は、その材質をスチールとすると共に、肉厚に構成されており、収容ボックス６の剛性を強めるようになっている。
【００５０】
ボックス６と内周面７ａの間には、火災時に隙間ができる場合を考慮して、本体６０が内周面７ａに接する部分に収容部を形成し、収容部内に加熱発泡材を配置してもよい。
【００５１】
本実施形態の防火用開閉装置１では、スクリーン５の幅方向端部に、不燃材料からなる糸により構成された抜止部５１が形成されている。そのため、シート状のスクリーン５が右ガイド枠２及び左ガイド枠３から抜けることを防止する抜止部５１を設けても、スクリーン５の巻取り状態において、スクリーンの幅方向端部側で抜止部５１が径方向に重なり合っても、従来の務歯列状の係合子に比べて、幅方向端部側の巻き径が大きくなることを、抑制することができる。そのため上記実施形態の防火用開閉装置１では、収容ボックス６の大型化、設置可能な場所の制限、及び、建物の開口部の美観の低下を抑制しつつ、防火用開閉装置の操作性の低下を抑制可能である。
【００５２】
また、本実施形態の防火用開閉装置１では、スクリーン５の下端部に、不燃材料からなる金属製の板５３が設けられている。このような不燃材料からなる板５３は、スクリーン５の下端を火災から保護する機能を発揮するだけでなく、ボトム枠１１をスクリーン５にネジ止めする際に、不燃材料からなる板５３を座として使用することができる。そのため、上記実施形態の防火用開閉装置１では、火災からの保護機能の向上と、ボトム枠１１をスクリーン５に取り付ける取付構造の簡素化を同時に達成することができる。
【００５３】
さらに、本実施形態の防火用開閉装置１では、スクリーン５の下端部に、不燃材料からなる糸により構成された抜止部５１が形成されている。そのため、シート状のスクリーン５の下端部が、ボトム枠１１から抜けることを防止することができる。
【００５４】
その上、本実施形態の防火用開閉装置１では、不燃材料により構成された抜止補助部５２を、スクリーン５の幅方向端部に形成しているので、スクリーン５に火災時の右ガイド枠２及び左ガイド枠３の変形や、通常時に子供がスクリーン５を強く押す等の大きな力が加わった場合でも、シート状のスクリーン５が右ガイド枠２及び左ガイド枠３から抜けることを防止することができる。
【００５５】
上記実施形態においては、ステンレス製の糸のミシン縫いを複数回重ねることにより抜止部５１を形成しているが、抜止部５１の形成はこの方法に限定されるものではなく、例えば、ミシン以外の縫製機または手縫いにより抜止部５１を形成してもよい。さらに、スクリーンが抜けることを防止することが可能であれば、縫製を重ねて行わなくともよい。
【００５６】
上記実施形態においては、抜止補助部５２としてステープラを使用しているが、大きな力が加わった場合でも、スクリーンが抜けることを防止することが可能であれば、抜止補助部５２はステープラに限定されず、また、抜止補助部５２を設けずともスクリーンが抜けることを防止することが可能であれば、抜止補助部５２を設けなくともよい。
【００５７】
上記実施形態においては、抜止部として、不燃材料からなる糸により構成された抜止部のみが形成されているが、本発明の効果を奏する範囲において、不燃材料からなる糸により構成された抜止部以外の抜止部が形成されていてもよい。
【００５８】
本発明は、以上説明した実施形態に限定されるものではなく、多くの変形が本発明の技術的思想内で当分野において、通常の知識を有する者により可能である。例えば、スクリーンは上下にスライドするものだけではなく、左右にスライドするものでもよい。
【産業上の利用可能性】
【００５９】
本発明によれば、シート状のスクリーンがガイド枠から抜けることを防止する抜止部を設けても、スクリーンの幅方向端部側の巻き径が大きくなることを抑制することで、収容ボックスの大型化、設置可能な場所の制限、及び、建物の開口部の美観の低下を抑制しつつ、防火用開閉装置の操作性の低下を抑制可能な防火用開閉装置を提供することができる。
【符号の説明】
【００６０】
１：防火用開閉装置
２：右ガイド枠
２１：外側ガイド部
２１ａ：第１の壁部    ２１ｂ：第２の壁部    ２１ｃ：第３の壁部
２１ｄ：第４の壁部    ２１ｅ：一対の屋外側突出壁部
２１ｆ：折れ曲がり部    ２１ｇ：屋外側収容部
２１ｈ：一対の屋内側突出壁部    ２１ｉ：折れ曲がり部
２１ｊ：屋内側収容部    ２１ｋ：一対の突出壁部
２１ｌ：開口部    ２１ｍ：一対の突出部
２２：内側ガイド部
２２ａ：スリット
２３：ガイド枠補強材
３：左ガイド枠
４：下枠
４ａ：端部
４１：底部
４１ａ：背面    ４１ｅ：一対の屋外側突出壁部
４１ｆ：折れ曲がり部    ４１ｇ：屋外側収容部
４１ｈ：一対の屋外側突出壁部    ４１ｉ：折れ曲がり部
４１ｊ：屋内側収容部    
４２：凹部
４３：下枠補強材
５：スクリーン
５ａ：たて辺    ５ｂ：下端
５１：抜止部    ５２：抜止補助部    ５３：板
６：収容ボックス
６０：本体    ６１：ベース材    ６２：ドラム
７：開口部
７ａ：内周面
８：額縁
９：加熱発泡材
１０：隙間隠材
１１：ボトム枠
１２：ラッチ
【図１】
2020204252.tif 000003
【図２】
2020204252.tif 000004
【図３】
2020204252.tif 000005
【図４】
2020204252.tif 000006